(57)【特許請求の範囲】
【請求項１】
フィルム原稿を照明する光源およびこの光源の位置を２次元的に微調整する光源移動装置を有する光源装置と、前記光源から射出され、前記フィルム原稿を透過し、前記フィルム原稿画像を担持する光ビームの焦点調整を行うレンズ装置と、このレンズ装置によって合焦された前記フィルム原稿画像を光電的に読み取るイメージセンサと、このイメージセンサによって読み取られた画像情報を処理する画像処理手段と、この画像処理手段による処理結果を表示するモニタとを備える画像入力装置において、
前記光源移動装置を前記画像入力装置の外装カバーの外部から操作可能に構成し、
前記光源を点灯し、前記フィルム原稿を作用させずに、予め測定治具を用いてフィルム原稿面における複数の測定点の光量バランスが均一となるように前記光源移動装置を前記外装カバーの外部から操作して前記光源位置を２次元的に調整した後、
前記測定治具を取り外して、前記レンズ装置による前記光源の投影像を前記イメージセンサで読み取り、前記フィルム原稿面における複数の測定点に対応する前記イメージセンサの所定画素領域における出力値の平均値を求め、各画素領域の出力値のバランスを記憶しておき、
位置が調整される光源から射出され、前記レンズ装置を通過し、前記イメージセンサで読み取られた光ビームによる前記位置が調整される光源の投影像の、前記複数の測定点に対応する各画素領域の出力値が、記憶された出力値バランスとなる、もしくは近づくように前記光源移動装置を前記外装カバーの外部から操作して、前記位置が調整される光源を異なる２方向に移動させてこの光源の位置の調整、および、前記位置が調整される光源を回動させてこの光源のフィラメントの向きの調整を行うことを特徴とする光源位置調整方法。
【請求項２】
前記光源の位置が調整される場合が、光源の取付時、交換時、メンテナンス時、または物理的な調整に伴う光源の相対的位置の変動が生じた時である請求項１に記載の光源位置調整方法。
【請求項３】
前記複数の測定点に対応する前記イメージセンサの各画素領域の、予め記憶された出力値のバランス状態と調整時の出力値のバランス状態とがモニタに表示され、このモニタに表示された出力値のバランス状態を見ながら前記光源位置の調整を行う請求項１または２に記載の光源位置調整方法。
【請求項４】
前記複数の測定点は、前記フィルム原稿面の中央に対して４隅近傍の所定位置の少なくとも３点である請求項１〜３のいずれかに記載の光源位置調整方法。
【請求項５】
前記モニタは、前記フィルム原稿面の４隅の一方向のバランス状態と、これと直交する方向のバランス状態を予め記憶された出力値のバランス状態から得られる調整許容範囲に対して表示し、前記光源移動装置の調整方向、調整方向の向きおよび調整終了が確認可能である請求項４に記載の光源位置調整方法。
【請求項６】
フィルム原稿の担持画像をイメージセンサで読み取る画像入力装置に用いられ、前記フィルム原稿を照明する画像読取用光源と、この光源の位置を２次元的に微調整する光源移動装置を具備するシェーディング補正のための光源位置調整可能な光源装置であって、前記光源移動装置は、第１枠体と、この第１枠体上に一次元方向に移動可能に当接する第２枠体と、この第２枠体を前記第１枠体の外側から移動する第１移動手段と、前記第２枠体上に前記一次元方向と直交する方向に移動可能に当接する第３枠体と、この第３枠体を前記第１枠体および第２枠体の外側から移動する第２移動手段と、前記第３枠体上に回動可能に当接する第４枠体と、この第４枠体を前記第１枠体の外側から回動する回動手段と、前記第４枠体上に取り付けられ、前記光源を装填するためのソケットと、前記第４枠体、前記第３枠体および前記第２枠体を前記第１枠体に付勢する付勢手段とを有することを特徴とする光源装置。
【請求項７】
さらに、少なくとも一方向から前記光源を覆うように前記画像入力装置の斜行する外装カバーに沿って延在する光源カバーを有することを特徴とする請求項６に記載の光源装置。
【発明の詳細な説明】
【０００１】
【発明の属する技術分野】
本発明は、イメージセンサを用いて２次元的にフィルム原稿の担持画像を読み取る画像入力装置に用いられる、フィルム原稿を照明する光源の投影像をイメージセンサで読み取って得られた出力値を用いて、光源を点灯したまま、フィルム原稿に照射される光量バランスを均一にするように位置調整することのできる光源のシェーディング補正を行うための光源位置調整方法に関する。
【０００２】
【従来の技術】
現在、ネガフィルムやリバーサルフィルムなどのフィルム原稿に撮影された画像の印画紙等の感光材料への焼き付けは、フィルム原稿の担持画像を感光材料に投影して感光材料を面露光する、いわゆる直接露光によって行われている。
これに対し、近年では、デジタル露光を利用する装置、すなわち、フィルム原稿に記録された画像情報を光電的に読み取って、読み取った画像をデジタル信号とした後、種々の画像処理を施して記録用の画像情報とし、この画像情報に応じて変調した記録光によって感光材料を走査露光して画像（潜像）を記録し、現像してプリントとするデジタルフォトプリンタの開発が進んでいる。
【０００３】
デジタルフォトプリンタでは、複数画像の合成や画像分割、文字と画像との編集等のプリント画像の編集レイアウトや、色／濃度調整、変倍率、輪郭強調等の画像処理も自由に行うことができ、用途に応じて自由に編集および画像処理したプリントを出力することができる。また、直接露光によるプリントでは、濃度分解能、色／濃度再現性等の点で、フィルムに記録されている画像をすべて再生することはできないが、デジタルフォトプリンタによれば、フィルムに記録されている画像をほぼ１００％再生したプリントが出力可能である。
さらに、デジタルフォトプリンタによれば、各フィルムに記録された画像の画像情報やそれに対する画像処理条件を、装置が有するメモリやフロッピーディスク等の外部メモリに記憶（保存）しておくことが可能であるので、焼き増し等を行う際に、原画となるフィルムが不要であり、また、再度処理条件を設定する必要がないので、迅速かつ効率良く焼き増し等の作業を行うことができる。
【０００４】
このようなデジタルフォトプリンタは、基本的に、フィルム等の原稿に記録された画像を読み取る画像入力装置、読み取った画像を画像処理して画像記録の露光条件を決定するセットアップ装置、および決定された露光条件に従って感光材料を走査露光して現像処理を施す画像記録装置より構成されている。
【０００５】
【発明が解決しようとする課題】
ところで、このようなデジタルフォトプリンタに利用される画像入力装置では、原稿であるフィルムに読取光を照射して、原稿画像を担持する投影光を得て、この投影光をＣＣＤセンサ等のイメージセンサに結像して光電変換することにより、原稿画像を読み取っている。このようにして読み取られた原稿画像情報（画像データ信号）は、適切な画像処理が施された後、画像出力装置において印画紙等の感光材料に露光、焼付、現像などの処理が施された後、フィルム原稿の担持画像が再生されたハードコピーを得ることはできる。
【０００６】
ここで、画質のよい出力画像（仕上りプリント）を得るためには、適正な色バランスおよび濃度バランスのとれた画像再現を行う必要がある。このため、画像入力装置においても、画像を色および濃度バランスよく読み取る必要がある。しかしながら、一般に、光源のフィラメントから射出される光には照度がばらつきがあるため、拡散板や拡散箱などの拡散手段を用いて拡散させた拡散光を用いたり、フィルム原稿からイメージセンサなどで読み取られた画像データ信号に対してフィルム原稿を装填しない場合の光源の投影像のデータ信号を用いて電気的もしくはソフト的にシェーディング補正を行っている。
【０００７】
ところが、さらに高画質の画像を得ようとする場合には、光源からの射出光を拡散手段によって拡散した拡散光を用い、得られた画像データ信号にシェーディング補正を行っても、十分にシェーディング補正ができないという問題があった。なお、拡散手段によって光源から射出光を完全に拡散させることも考えられるが、完全拡散のためには多数の拡散板を透過させたり、何度も乱反射させる必要があるため、光強度が低下し、画像読取に必要な光強度が得られなくなるという問題があった。
【０００８】
さらに、光源のソケットへのさし込みピン、例えばランプのソケット取付足に対してランプフィラメント位置には、バラツキが存在し、しかも、そのバラツキには個体差があるため、ソケットの取付口から設定される光軸中心と、ランプフィラメント中心とにずれが生じ、光源光量の片寄り（シェーディング）が発生する。この光源によるシェーディングには個体差があるため、画質への要求が極めて高い画像入力装置に用いる場合には、このフィラメント位置バラツキによるシェーディングも補正しておく必要がある。
【０００９】
このため、ランプ取付時やランプ交換時には、ランプをソケットに取り付けた後、ランプを点灯して、レンズ装置を通して光源像をイメージセンサで読み取ることを複数の光源位置に対して繰り返して、得られた光源像のシェーディング状態を比較し、最も良い光源位置を求める必要があるが、この作業を繰り返すのはランプの冷却等も考えると時間がかかり、極めて面倒な作業となるという問題があった。ところが、このような画像読取装置に用いられる光源は高い光強度が要求されるため、フィラメントには１０アンペア程度の電流が流され、発熱量も多く、光源の温度も１００℃前後にもなる。
【００１０】
このため、光源の取付や交換は、もちろん、画像入力装置の外装カバーを外して行うが、シェーディング補正のための光源位置調整を外装カバーを外したままランプを点灯して行うのは危険であるし、光源位置を移動させる毎にランプを消灯し、冷却したり、外装カバーを開閉するのは面倒であるという問題があった。一方、光源の温度は点灯状態で１００℃程度になるが、外装カバーの外部ではユーザが作業を行うために、外装カバーが金属の場合６０℃以下、樹脂の場合８５℃以下と規格化されているが、光源に外装カバーが近いとこの規格を満足しなくなる恐れがあるという問題があった。
【００１１】
ところで、上述したように光源ランプの点灯消灯を繰り返しながら光源の位置調整を行って、イメージセンサで光源像のシェーディング状態を読み取り、イメージセンサの出力値が均一になる最良の光源位置を求めたとしても、イメージセンサ、例えばエリアＣＣＤなどには製造ばらつきが存在し、ＣＣＤ自体の感度ムラ（位置による感度のばらつき）、すなわちＣＣＤシェーディングがあると、光源ランプによるフィルム原稿面上における照射光量は、均一になるわけではなく、光源自体のシェーディング補正が正確になされているわけではないという問題があった。
【００１２】
本発明の目的は、上記従来技術の問題点を解消し、画像入力装置等に用いられる光源を点灯した状態で、その光源の投影像をイメージセンサで読み取り、光源のフィラメント位置ずれの影響による光源のフィルム原稿面における光量バランス状態をＣＲＴなどの表示装置に表示しながらシェーディング補正のために光源の位置を画像入力装置の外装カバーの外側から安全かつ簡便に調整することができる光源位置調整方法を提供するにある。
また、本発明の他の目的は、光源が点灯状態であっても、外装カバーの温度を規格を満足するように、あるいはさらにユーザが触れても熱くない程度まで低くし、安全に光源の位置調整ができる光源位置調整方法および光源装置を提供するにある。
【００１３】
【課題を解決するための手段】
上記目的を達成するために、本発明は、フィルム原稿を照明する光源およびこの光源の位置を２次元的に微調整する光源移動装置を有する光源装置と、前記光源から射出され、前記フィルム原稿を透過し、前記フィルム原稿画像を担持する光ビームの焦点調整を行うレンズ装置と、このレンズ装置によって合焦された前記フィルム原稿画像を光電的に読み取るイメージセンサと、このイメージセンサによって読み取られた画像情報を処理する画像処理手段と、この画像処理手段による処理結果を表示するモニタとを備える画像入力装置において、前記光源移動装置を前記画像入力装置の外装カバーの外部から操作可能に構成し、前記光源を点灯し、前記フィルム原稿を作用させずに、予め測定治具を用いてフィルム原稿面における複数の測定点の光量バランスが均一となるように前記光源移動装置を前記外装カバーの外部から操作して前記光源位置を２次元的に調整した後、前記測定治具を取り外して、前記レンズ装置による前記光源の投影像を前記イメージセンサで読み取り、前記フィルム原稿面における複数の測定点に対応する前記イメージセンサの所定画素領域における出力値の平均値を求め、各画素領域の出力値のバランスを記憶しておき、位置が調整される光源から射出され、前記レンズ装置を通過し、前記イメージセンサで読み取られた光ビームによる前記位置が調整される光源の投影像の、前記複数の測定点に対応する各画素領域の出力値が、記憶された出力値バランスとなる、もしくは近づくように前記光源移動装置を前記外装カバーの外部から操作して、前記位置が調整される光源を異なる２方向に移動させてこの光源の位置の調整、および、前記位置が調整される光源を回動させてこの光源のフィラメントの向きの調整を行うことを特徴とする光源位置調整方法を提供するものである。
【００１４】
ここで、前記光源の位置が調整される場合が、光源の取付時、交換時、メンテナンス時、または物理的な調整に伴う光源の相対的位置の変動が生じた時であることが好ましい。
また、前記複数の測定点に対応する前記イメージセンサの各画素領域の、予め記憶された出力値のバランス状態と調整時の出力値のバランス状態とがモニタに表示され、このモニタに表示された出力値のバランス状態を見ながら前記光源位置の調整を行うのが好ましい。
【００１５】
また、前記複数の測定点は、前記フィルム原稿面の中央に対して４隅近傍の所定位置の少なくとも３点であるのが好ましい。
また、前記モニタは、前記フィルム原稿面の４隅の一方向のバランス状態と、これと直交する方向のバランス状態を予め記憶された出力値のバランス状態から得られる調整許容範囲に対して表示し、前記光源移動装置の調整方向、調整方向の向きおよび調整終了が確認可能であるのが好ましい。
また、上記目的を達成するために、本発明は、フィルム原稿の担持画像をイメージセンサで読み取る画像入力装置に用いられ、前記フィルム原稿を照明する画像読取用光源と、この光源の位置を２次元的に微調整する光源移動装置を具備するシェーディング補正のための光源位置調整可能な光源装置であって、前記光源移動装置は、第１枠体と、この第１枠体上に一次元方向に移動可能に当接する第２枠体と、この第２枠体を前記第１枠体の外側から移動する第１移動手段と、前記第２枠体上に前記一次元方向と直交する方向に移動可能に当接する第３枠体と、この第３枠体を前記第１枠体および第２枠体の外側から移動する第２移動手段と、前記第３枠体上に回動可能に当接する第４枠体と、この第４枠体を前記第１枠体の外側から回動する回動手段と、前記第４枠体上に取り付けられ、前記光源を装填するためのソケットと、前記第４枠体、前記第３枠体および前記第２枠体を前記第１枠体に付勢する付勢手段とを有することを特徴とする光源装置を提供するものである。
さらに、少なくとも一方向から前記光源を覆うように前記画像入力装置の斜行する外装カバーに沿って延在する光源カバーを有することが好ましい。
【００１６】
【発明の実施の形態】
本発明に係る光源位置調整方法について、添付の図面に示す好適実施例に基づいて以下に詳細に説明する。
図１に、本発明の光源位置調整方法を実施する画像入力装置の一実施例の概略斜視図を示す。
図１に示される画像入力装置（以下、入力装置とする）１０は、長尺なネガもしくはリバーサルフィルムであって、多数の画像が撮影されているストリップスＡや、１枚のフィルム（通常は、リバーサルフィルム）を枠体（マウント）に固定してなるスライド等の各種のフィルム原稿を用い、これらのフィルム原稿に撮影された原稿画像を光電的に読み取る装置であって、前述のデジタルフォトプリンタに利用される画像入力装置である。
【００１７】
このような入力装置１０は、基本的に、脚部１７を有する光学フレーム１８、光源装置が装填される光源部２０、キャリアベース２２、結像部２４、エリアセンサであるイメージセンサ２６、イメージセンサ２６からの出力信号の処理を行い画像情報として記録装置Ｐ等に出力し、また、入力装置１０（あるいはデジタルフォトプリンタ）全体の操作および制御を行う制御装置１２、およびキャリアベース２２に装着自在にされる各種の原稿に対応するキャリア、例えばフィルムキャリアやスライドキャリアを有してなるものであり、図示例は、ストリップスＡを長手方向に搬送して撮影されている原稿画像を順次所定の読取位置Ｚに搬送するフィルムキャリア２８が装着されている状態を示す。
【００１８】
図示例の入力装置１０においては、キャリアベース２２に装着されたフィルムキャリア２８によって、図中矢印ｘ方向にストリップスＡを搬送して読取位置Ｚで停止して、光源部２０からの読取光をストリップスＡに照射して原稿画像を担持する投影光を得、結像部２４によって投影光をイメージセンサ２６に結像し、光電変換して、制御装置１２に出力する。制御装置１２においてはイメージセンサ２６からの出力信号を画像処理してフィルムストリップスＡに撮影された原稿画像を２次元的に読み取る。なお、入力装置１０においてはイメージセンサ２６として、エリアイメージセンサを用いて、フィルム原稿画像の２次元的な（面状）画像読取を行うことにより、従来の走査露光による画像読取に比して画像読取にかかる時間を大幅に短縮し、これによりプリントの生産効率を大幅に向上させている。
【００１９】
光源部２０は、ストリップスＡ（フィルム原稿）に読取光を照射して、原稿画像を担持する投影光を得るためのものであり、光学フレーム１８の脚部１７の上方の、キャリアベース２２の下に位置しており、その前面には内部を開放し、光源装置の光源（ランプ）の取付や交換を可能にする外装カバー１１が配置されている。
図２に光源部２０の内部の概略図を示す。光源部２０は、光源３０、光源３０からの光を反射するリフレクタ３１および光源３０の位置を調整する光源移動装置１６を有する光源装置１４と、可変絞り３２と、色フィルタ板３４と、拡散ボックス３６とを有する。
また、光源部２０には、これ以外にも光源３０等の各種の部材を冷却する冷却ファン３８（図６参照）や、後述する色フィルタ板３４の切り替え時等に必要に応じて光源部２０からストリップスＡに至る読取光を遮蔽するシャッタ（図示せず）等が配置されている。
【００２０】
光源装置１４に用いられる光源３０としては、イメージセンサ２６による画像読取に十分な光量の光を射出できる各種の公知の光源が利用可能であり、例えば、ハロゲンランプ、キセノンランプ、水銀灯などが例示される。また、リフレクタ３１は、光源３０からの光を所定の方向に反射することにより十分な光量の読取光を得るための、公知のリフレクタである。ここで、光源３０（リフレクタ３１）は、ｘ−ｙステージ等を有する光源移動装置１６に支持されており、外装カバー１１の外側からストリップスＡの面内においてその位置が調整可能に構成されている。なお、光源装置１４を構成する光源移動装置１６については後述する。
【００２１】
光源３０の光軸Ｌ方向の下流側（以下、上方とする）には、ストリップスＡに入射する読取光の光量を調節するための、可変絞り３２が配置される。この可変絞り３２は、遮光部分で対数曲線が描かれた、光軸Ｌに直交する図中矢印ａ方向にその配置位置で通過光量の異なる２枚のＮＤフィルタ３２ａおよび３２ｂを配置し、互いに接離させることにより、光源３０からストリップスＡに至る光量を、例えば、全開放（光量低減無し）から遮光までの範囲で調整するものである。
【００２２】
色フィルタ板３４は、Ｒ（赤）フィルタ３４Ｒ、Ｇ（緑）フィルタ３４Ｇ、およびＢ（青）フィルタ３４Ｂの３枚の色フィルタを有する円盤状の部材で、軸３４ａを中心にして、軸３４ａに係合するモータ等の図示しない回転手段によって回転可能に構成される。光源部２０においては、色フィルタ板３４を回転して、光路ＬにＲフィルタ３４Ｒ、Ｇフィルタ３４ＧおよびＢフィルタ３４Ｂを順次挿入することにより、フィルムに撮影された原稿画像をＲ画像、Ｇ画像およびＢ画像の加色法の３原色に分解して、順次読み取る。すなわち、入力装置１０においては、３回の画像読取でストリップスＡに撮影された原稿画像の読み取りを行う。
【００２３】
拡散ボックス３６は、光源３０から射出され、可変絞り３２によって光量を調整されて、色フィルタを通過した読取光を分散して、フィルムに入射する読取光の光量等をフィルム面方向すなわち光軸Ｌと直交する面でムラなく均一にするためのものである。拡散ボックス３６は、例えば内面が鏡面である上下面が開放する四角柱３６ａの、下面にスリガラス３６ｂを、上面に乳白色のアクリル板３６ｃを、それぞれ配置した構成としてもよい。なお、拡散ボックス３６の代わりに、オパールグラス等の公知の拡散板を用いてもよい。また、拡散ボックス３６の配置も図示例に限定はされず、色フィルタ板３４や可変絞り３２の下方であってもよい。
【００２４】
ここで、本発明に用いられる光源装置１４の光源移動装置１６の一実施例の斜視図を図３に示す。また、図３に示す光源移動装置１６に光源３０およびリフレクタ３１を装着した光源装置１４の一実施例の断面図を図４に示す。
これらの図に示すように、光源移動装置１６は、第１枠体８０と、第２枠体８２と、第３枠体８４と、第４枠体８６と、ソケット８８と、第１側板９０と、第２側板９２とを有する。
【００２５】
第１枠体８０は、矩形状の底面８０ａとその４辺に垂直壁面８０ｂ、８０ｃ、８０ｄ、８０ｅを有する箱状をなし、底面８０ａの４隈には光源移動装置１６、すなわち光源装置１４を画像入力装置１０の光源部２０の所定位置に固定するための貫通孔８０ｆを有する。
第２枠体８２も、矩形状の底面８２ａとその４辺に垂直壁面８２ｂ、８２ｃ、８２ｄ、８２ｅを持つ箱状体をなし、第１枠体８０内に収納され、底面８２ａは底面８０ａ上に当接して移動可能に載置される。第２枠体８２の垂直壁面８２ｅには２個のボールプランジャ８３が取り付けられ、ボールプランジャ８３は第１枠体８０の垂直壁面８０ｅに当接して、第２枠体８２の対向する垂直壁面８２ｃを第１枠体８０の垂直壁面８０ｃに移動可能に密着するように付勢する。
【００２６】
第３枠体８４は、矩形状の底面８４ａと、その４辺のうちの３辺に垂直壁面８４ｂ、８４ｃ、８４ｄを持つ箱状体をなし、第２枠体８２内に収納され、底面８４ａは底面８２ａ上に当接して移動可能に載置される。第３枠体の垂直壁面８４ｄには２個のボールプランジャ８５が取り付けられ、第２枠体８２の垂直壁面８２ｄに当接して、第３枠体の対向する垂直壁面８４ｂを第２枠体８２の垂直壁面８２ｂに移動可能に密着するように付勢する。
【００２７】
第４枠体８６は、内部に非導電性材料製のソケット８８が固定されたコの字型の部材であって、第３枠体８４内に収納され、底面８６ａは第３枠体８４の底面８４ａ上に接触して移動可能に載置される。第４枠体８６の頂面８６ｂには光源３０を装着するための開口８６ｃが穿孔されている。頂面８６ｂ上には開口８６ｃに一方から張り出す非導電性材料製の板部材８９ａが固定され、開口８６ｃの他方には第４の枠体８６の垂直側面８６ｄに固定された板ばね８９ｂに固定された非導電性材料製の板部材８９ｃが張り出しており、２つの板部材８９ａ、８９ｃで光源３０を挟持する。
【００２８】
また、図４に詳細に示すように、第４枠体８６の底面には光源３０の中心にその中心が一致する回動軸８６ｅと、この回動軸８６ｅから所定間隔離間する棒状体８６ｆとが固定されている。回動軸８６ｅは第３枠体８４の底面８４ａに穿孔された丸孔８４ｅに回動可能に嵌合し、第２および第１枠体８２および８０の底面８２ａおよび８０ａに穿孔された開口８２ｆ、８０ｇに移動可能に貫通し、底面８０ａの開口を寒じ座金８７ａの丸孔を貫通して突出する。軸８６ｅの突出端には座金８７ｂが止めリング等によって抜け落ちないように嵌着され、座金８７ａと８７ｂとの間には圧縮ばね８７ｃが装填され、第１ないし第４枠体８０、８２、８４、８６をばね力によって相対的に回動もしくは移動可能に密着固定する。
【００２９】
一方、棒状体８６ｆは、第１ないし第３枠体８０、８２、８４に穿孔された長孔８０ｈ、８２ｇ、８４ｆを貫通して、第１枠体８０の底面８０ａから裏面側に突出する。そして、棒状体８６ｆを使って第４枠体８６を回動軸８６ｅを中心に回動し、光源３０をフィラメント３０ａのθ方向の位置を調整することができるように構成される。
【００３０】
第２側板９２は、図３および図４に示すように、第２枠体８２の垂直壁面８２ｃに外側から密着する第１枠体８０の垂直壁面８０ｃの外側から所定間隔を保つための２本の所定長さの棒状体９３を介してビスやナットなどによって垂直壁面８２ｃに固定される。また、第２枠体８２の垂直壁面８２ｃと第３枠体８４の垂直壁面８４ｃとの間には、垂直壁面８２ｃの２本の棒状体９３の中心線上の位置に穿孔された丸孔８２ｈに回転可能に嵌合する円筒部９４ａと、第３枠体８４の垂直壁面８４ｃに設けられためねじ部８４ｇと螺合するおねじ部９４ｂとを有し、第３枠体８４を第２枠体８２に対して図中矢印Ｘ方向に移動するための駆動ねじ軸（駆動ねじ）９４が設けられる。垂直壁面８２ｃと８４ｃとの間には駆動ねじ軸９４の円筒部９４ａとおねじ部９４ｂとがその中心を貫通する圧縮ばね９５が介在し、付勢する。この駆動ねじ軸９４は、垂直壁面８２ｃの外面に当接する端部を有し、円筒部９４ａに続く六角柱部９４ｃを有し、この六角柱部９４ｃの端部は、円筒状をなし、第２側板９２に設けられた開口９２ａから突出し、その先端には六角レンチが嵌合する六角穴部９４ｄが形成される。六角穴部に六角レンチを嵌合して駆動ねじ軸９４を回転させることにより、駆動ねじ軸９４に沿って、すなわち図中矢印Ｘ方向に第３枠体８４を移動することができる。また、駆動ねじ軸９４の六角柱部９４ｃは、その両端が２本の棒状体９３に係合される板ばね９６によって押圧される。このため、本発明においては、駆動ねじ軸９４が六角柱部９４ｃによって１／６回転毎にロックされ、第３枠体８４のＸ方向の移動をねじピッチの１／６の精度で調整可能とすることができる。
【００３１】
第１側板９０は、図３に示すように、第１枠体８０の垂直側面８０ｂの外側に第２側板９２と同様に所定間隔を保つための２本の棒状体９３を介して固定される。第２枠体８２の垂直壁面８２ｂのめねじ部と螺合し、垂直壁面８０ｂに当接して回転し、第２枠体８２を第１枠体８０に対して図中矢印Ｙ方向に移動するための駆動ねじ９７およびその移動機構は、第３枠体８４を第２枠体８２に対して図中矢印Ｘ方向に移動する点を除いて駆動ねじ９４と同様の構成を有するので、その説明は省略する。
【００３２】
ところで、駆動ねじ９７および９４は、図５および図６に示すように、画像入力装置１０の外装カバー１１の外側から、外装カバー１１の前面および横側面に穿けられた開口９８および９９を通して六角レンチなどの工具を六角穴部９７ｄおよび９４ｄに嵌め込み、六角レンチを回転させることによって回転させることができるように構成されている。このようにして、光源装置１４においては、外装カバー１１の外側、すなわち前面および横側面から、それぞれ駆動ねじ９４、９７を回転させ、第３枠体８４をＸ方向に、第２枠体８２をＹ方向に移動させることにより、光源３０のＸ−Ｙ方向の移動調整を行うことができる。なお、第２枠体８２をＹ方向に、第３枠体８４をＸ方向に移動するために、工具は六角レンチに限定されず、どのような工具でもよいが、一般に用いられる汎用工具であるのが好ましく、従って駆動ねじ軸９４および９７の頂部も図示例の六角穴部９４ｄに限定されず、用いられる工具に応じた構造であればよい。
【００３３】
以上のような構成の光源移動装置１６によって、光源装置１４は光源３０のＸ−Ｙ−θ調整機構を実現することができる。なお、本発明に用いられる光源装置は、図示例のものに限定されず、第４枠体８６によるθ方向の調整機構を持たないＸ−Ｙステージからなる、すなわち第３枠体８４に直接ソケット８８を保持する構造の光源移動装置を有するものであってもよい。
【００３４】
また、図３および図４に示す光源装置１４の光源移動装置１６においては、第１側板９０、第２側板９２および第１枠体８０の垂直壁面８０ｅは、それぞれ外側に向かって傾斜して延在する光源カバー９０ｂ、９２ｂおよび８０ｉを有する。この光源カバー９０ｂは、図５に示すように画像入力装置１０の外装カバー１１の前面の傾斜に沿って、すなわち略平行に延び、光源３０で発生する熱、特に光源３０から輻射される輻射熱を遮断する。同様に、光源カバー８０ｉおよび９２ｂも、図６に示すように画像入力装置１０の外装カバー１１の両横側面の傾斜に沿って、すなわち略平行に延び、光源３０で発生する熱、特に光源３０から輻射される輻射熱を遮断する。こうして、光源３０からの熱、特に輻射熱による外装カバー１１の過度の温度上昇を防止し、外装カバー１１の温度を規制値以下の適正な温度範囲に抑えることができる。
【００３５】
なお、図３、図５および図６に示すように外装カバー１１の横側面に対向する光源カバー８０ｉおよび９２ｂは、外装カバー１１の前面に対向する光源カバー９０ｂよりも緩い傾斜を持つ。これは、図６に示すように画像入力装置１０の光源部２０の両側部に設けられる冷却ファン３８による光源３０およびその近傍の冷却効果を促進するため、２個の冷却ファン３８による装置外部の冷気の吸引および光源３０への送風ならびに光源３０近傍の雰囲気の吸引および装置外部への排出を効率よく行うように、外装カバー１１の横側面および光源カバー８０ｉ、９２ｂの傾斜を緩くするのがよいからである。
【００３６】
以上のような構成によって、本発明に用いられる光源装置１４は画像入力装置１０の外装カバー１１の外側から、光源３０を点灯したまま、光源３０のシェーディング補正を行うために、光源３０の２次元的、すなわちＸ−Ｙ方向の位置調整を行うことができる。
光源部２０は、基本的に以上のように構成される。
【００３７】
光源部２０の上方には、キャリアベース２２が配置される。
キャリアベース２２は、その上面にフィルムキャリア２８等の各種のキャリアを載置して、所定の位置に保持する部位であり、光学フレーム１８に対して垂直に固定されている。なお、このキャリアベース２２には、光軸Ｌに対応する部分に、光源部２０からの光が通過するための開口（図７に参照符号３８で示す）が形成されている。なお、この開口の大きさは、入力装置１０によって読み取るフィルムの最大サイズに応じて、光源部２０からの光によって、入力装置１０で読み取る画像の最大サイズの全面を十分に照射できる大きさとすればよい。
【００３８】
キャリアベース２２の上面には、図中手前側から光学フレーム１８に向かう方向、すなわち前記搬送方向となる矢印ｘ方向と直交する矢印ｙ方向に、案内レール４０および４２が形成されている。
また、フィルムキャリア２８の底面には、案内レール４０および４２に対応して溝４４および４６が形成されている。
従って、キャリアベース２２の上面に載置されたフィルムキャリア２８等の各種のキャリアは、案内レール４０および４２とそれに対応する溝４４および４６とによって、矢印ｘ方向の位置を規定され、また、光学フレーム１８と図中奥側の端面とが当接することにより、矢印ｙ方向の位置を規定され、キャリアベース２２上の所定位置に位置決めされて載置される。
【００３９】
キャリアベース２２上の所定位置に装着されるフィルムキャリア２８は、ストリップスＡを長手方向を矢印ｘ方向に一致して搬送し、ストリップスＡに撮影された各画像を光軸Ｌ上の所定位置、すなわちキャリアベース２２の開口に対応する読取位置Ｚに順次搬送して、読み取りに供するものである。
【００４０】
フィルムキャリア２８の本体４８の底面には、前述のように、キャリアベース２２の案内レール４０に対応する溝４４、ならびに案内レール４２に対応する溝４６が形成されている。
また、本体４８の上面には、矢印ｘで示される搬送方向でかつ光軸Ｌと交わる位置に端部から端部まで延在して案内溝５０が形成されている。案内溝５０は、ストリップスＡとほぼ同じ幅を有する溝であって、ストリップスＡは、案内溝５０に挿入された状態で、長手方向を矢印ｘ方向と一致して搬送され、各画像が順次、光軸Ｌ上の読取位置Ｚに搬送される。従って、この案内溝５０の深さは、ストリップスＡの画像面（すなわち乳剤面）が光軸Ｌ方向（焦点深度方向）の所定位置になるようにされる。
【００４１】
さらに、フィルムキャリア２８の本体４８の読取位置Ｚには、光源部２０からの読取光が通過するための開口が形成されている。この開口は、ストリップスＡの画像に入射する光（読取領域）を規定するマスクも兼ねており、ストリップスＡに応じたサイズおよび形状を有している。なお、読取位置Ｚは、フィルムキャリア２８がキャリアベース２２上の所定位置に配置された際に、キャリアベース２２の開口に対応する光軸Ｌ上の所定位置となるのは当然のことである。
【００４２】
案内溝５０には、ｘ方向の上流から下流に向かって、ストリップスＡの搬送手段５２、フィルム圧着ユニット５４および画面検出センサ５６が配置される。
搬送手段５２は、例えばモータと搬送ローラとから構成され、ストリップスＡを矢印ｘ方向に搬送して画像を順次読取位置Ｚに停止し、読み取り終了の信号を受けたら再度搬送を開始し、次の画像を読取位置Ｚに搬送する。
フィルム圧着ユニット５４は、画像読取時に読取位置ＺにおいてストリップスＡを画像周辺で案内溝５０に圧着することにより、ストリップスＡのカール等を矯正して画像全面の光軸Ｌ方向の位置を所定位置に保持するためのものである。このようなフィルム圧着ユニット５４は、圧着部材５８と、この圧着部材５８を軸６０を中心に矢印ｂ方向に回動させる回動手段とから構成され、圧着部材５８は、ストリップスＡの搬送時には上方に回動され、読取時には下方に回動して、読取位置ＺでストリップスＡを押圧する。
画面検出センサ５６は、公知の光学的なセンサであって、ストリップスＡの読取位置Ｚよりｘ方向の下流側に撮影されている画像やＤＸコードを検出することによって、読取位置Ｚにおける画像の位置を規定するものである。図示例のフィルムキャリア２８においては、画面検出センサ５６による検出結果に応じて、搬送手段５２によるストリップスＡの搬送を制御して各画像を順次読取位置Ｚに停止させ、また、フィルム圧着ユニット５４によるストリップスＡの押圧および開放を行う。
【００４３】
なお、入力装置１０は、このようなストリップスＡの各画像を読取位置Ｚに自動搬送するフィルムキャリア２８以外にも、キャリアベース２２上の所定位置に装着自在な各種のキャリアを有するものであってもよい。
例えば、画像が撮影されたフィルムを枠体で保持してなる、いわゆるスライドを矢印ｘ方向に搬送して読取位置Ｚに停止して画像読取に供し、回収するスライドキャリアや、オペレータがストリップスやスライドを読取位置Ｚに固定するマニュアルキャリアや、オペレータが任意の位置にフィルムやスライドを配置して読み取りを行うトリミングキャリア等を有するものであってもよい。
【００４４】
光学フレーム１８の上部には、結像部２４が配置される。
結像部２４は、光学フレーム１８に固定される定盤６２に垂設されるレンズユニット６４ならびに焦点調整モータ６６を有するものであり、ストリップスＡの投影光をイメージセンサ２６に結像させる。
レンズユニット６４は、ストリップスＡに撮影された画像のサイズに応じて倍率を変更して、投影光をイメージセンサ２６で受光可能な最大サイズ（すなわち、必要な画像領域の最長手部がイメージセンサ２６の受光面に内接するサイズ）に調整してイメージセンサ２６に結像するための、公知のズームレンズが組み込まれたズームレンズ部６８と、その上方に位置する、投影光の焦点をイメージセンサ２６の受光面上に調整する公知の焦点調整レンズが組み込まれた焦点調整レンズ部７０とを有して構成される。また、焦点調整レンズ部７０の調整ギヤ７０ａは、焦点調整モータ６６によって回転されるギヤ６６ａに噛合しており、焦点調整モータ６６によって焦点を調整される。
焦点調整モータ６６の駆動は、制御装置１４の焦点調整手段７６によって制御されており、例えば、ＴＴＬ（Through The Lens）方式により、イメージセンサ２６で読み取った画像のコントラストを用いて自動焦点調整を行う。
【００４５】
ストリップスＡ等の投影光は、レンズユニット６４によってイメージセンサ２６に結像され、光電的に読み取られる。また、レンズユニット６４とイメージセンサ２６との間には、暗時補正等に用いられる公知のシャッタ（図示省略）が配置される。
２次元的な画像読取を行う入力装置１０において、イメージセンサ２６はエリアセンサであって、例えば、１３８０×９２０画素のＣＣＤセンサである。
また、図示例の装置では、イメージセンサ２６は半画素に対応する量だけｘ方向およびｙ方向に移動可能に構成されており、これにより、読取画素数を見掛け上で４倍まで増やすことができる。
【００４６】
なお、図示例の入力装置１０においては、必要に応じて、イメージセンサ２６の蓄積時間を調整することができる。
前述のように、図示例の光源装置１４を光源部２０として用いる入力装置１０では、可変絞り３２を調整することによってストリップスＡに撮影された原稿画像の画像濃度差を吸収するが、可変絞り３２を用いても濃度差を吸収できないような高濃度あるいは低濃度画像を読み取る場合には、必要に応じて、イメージセンサ２６の蓄積時間の調整を併用することにより、適正な画像読取を行う。
なお、蓄積時間の調整は、プレスキャンで得られた画像データを基に、後述する制御装置１２によって行われる。
【００４７】
イメージセンサ２６からの信号は、制御装置１２に出力される。
制御装置１２は、画像処理手段７２、焦点調整手段７３、本発明の光源位置調整方法を実施するとともに、入力装置１０（あるいはデジタルフォトプリンタ）全体の制御および管理を行う制御部７４、画像処理条件を設定する条件設定部７８ならびに本発明の光源位置調整方法を実施するのに用いられる光源初期位置を始めとして、本発明法を実施し、入力位置１０を操作し、動作させるのに必要な情報を記憶（登録）するメモリ７９などを有しており、さらに、イメージセンサ２６によって読み取られた画像や、プリントサイズ設定、色／濃度設定、ランプ交換の指示などの操作指示およびランプ交換時の光源３０のフィルム原稿面における光量バランス（シェーディング）状態等を表示するディスプレイ７５、プリントサイズや主被写体の設定などの画像読取（出力）にかかる各種の設定や、ランプ交換の要・不要の決定等の入力装置１０の操作等を行うキーボード７６およびマウス７７が接続される。
すなわち制御装置１２は、本発明の光源位置調整方法を実施し、入力装置１０（あるいはデジタルフォトプリンタ）全体の操作および制御、イメージセンサ２６からの出力信号の処理等を行うものである。
【００４８】
イメージセンサ２６からの信号は、基本的に画像処理手段７２に送られる。画像処理手段７２は、Ａ／Ｄ変換、Ｌｏｇ変換、シェーディング補正、暗時補正、オフセット補正等の所定の処理を施して画像情報として、ディスプレイ７５や記録Ｐに出力するものであり、メモリやこれらの各種の画像処理を行う公知の画像処理回路等を組み合わせてなるものである。
また、画像処理手段７２には、条件設定部７８が接続される。周知のように、各種の入力装置では、通常、画像出力のための読み取り（本スキャン）に先立ち、画像を粗に読み取るプレスキャンが行われるが、条件設定部７８は、プレスキャンで得られた画像データから、本スキャンでの各色の読み取り毎の可変絞り３２の調整量の決定や、必要に応じて行われる蓄積時間の調整等の読取条件を決定し、また、同画像データと必要に応じて設定される主被写体や入力される処理条件から画像処理手段７２における前記画像処理の条件設定を行う。
【００４９】
画像処理手段７２には、さらに、焦点調整手段７３が接続される。焦点調整手段７３は、前述の焦点調整モータ６６を制御して、レンズユニット６４の焦点調整レンズ部７０を調整して、本スキャンの際の投影光の焦点をイメージセンサ２６の受光面に合わせるものであり、図示例においては、ＴＴＬ方式により、イメージセンサ２６によって読み取られた画像の画像コントラストを用いて自動焦点調整を行う。
【００５０】
制御部７４は、例えば、プレスキャンの画像データに応じて条件設定部８４で設定された絞り値に応じた可変絞り３２の調整、プレスキャンが終わった後の本スキャン開始の指示、次の画像読取開始の指示、各種のトラブル発生の検出およびディスプレイ７５へのエラーメッセージの表示等、入力装置１０（あるいはデジタルフォトプリンタ）全体の制御および管理を行うものである。
【００５１】
光源部２０として図示例の光源装置１４を用いる入力装置１０は、基本的に上記構成を有するものであるが、以下にその作用および本発明の光源位置調整方法について詳細に説明する。
【００５２】
まず、読取開始に先立ち、キーボード７６やマウス７７を用いてプリントサイズ設定等の必要な操作を行う。
他方で、光源部２０からの光量が所定値になっていることが確認されたら、フィルム圧着ユニット５４の圧着部材５８を上方に上げ、ストリップスＡに撮影された１枚目の画像が読取位置ＺとなるようにストリップスＡをフィルムキャリア２２に装填し、読取開始の指示を出す。
【００５３】
読取開始の指示が出されると、まず、Ｇフィルタ３４Ｇが挿入され、後のプレスキャンと同様にＧ画像が読み取られ、得られた画像の画像コントラストから焦点調整量が決定され、焦点調整手段はこれに応じて焦点調整モータを駆動して焦点調整レンズ部７０の調整を行う。
次いで、プレスキャンが開始され、光源部２０において、可変絞り３２が開放状態となる（あるいは規定絞り値に調整される）。焦点調整でＧフィルタ３４Ｇが光路Ｌに挿入されているので、その状態のまま、Ｇフィルタ３４Ｇによって調光された光がストリップスＡを透過してＧ画像を担持する投影光となり、レンズユニット６４によってイメージセンサ２６に結像され、原稿画像のＧ画像が光電的に読み取られ、プレスキャンにおけるＧ画像の読み取りが終了する。
イメージセンサ２６によって読み取られたＧ画像の画像データは、制御装置１４の画像処理手段７２に送られ、画像処理手段７２のメモリに記憶されると共に、条件設定部７８に送られる。
条件設定部７８においては、このＧ画像の画像データから、本スキャンでのＧ画像読取の際における可変絞り３２の調整量を決定する。なお、可変絞り３２の調整量は、例えばＬＡＴＤ（大面積透過濃度）等を用いた公知の方法によればよい。
【００５４】
プレスキャンでのＧ画像の読み取りが終了すると、色フィルタ板３４が回転して、例えば、次いでＲフィルタ３４Ｒが光路Ｌに挿入され、同様に、原稿画像のＲ画像が読み取られて画像データが画像処理手段７２に送られて記憶され、また、条件設定部７８において本スキャンにおけるＲ画像読取の際の可変絞り３２の調整量等が決定される。さらに、同様にして、Ｂ画像が読み取られ可変絞り３２の調整量等が決定され、プレスキャンが終了する。
【００５５】
制御装置１４においては、プレスキャンで得られた画像がディスプレイ７５に表示され、必要に応じて主被写体の設定等が行われ、また、条件設定部７８は、画像処理手段７２のメモリに記憶された画像データを読み出し、この画像データや設定された主被写体等に応じて、本スキャンの際の画像処理手段７２における画像処理条件を決定する。なお、本スキャンにおけるＲ、ＧおよびＢの各画像読取の際の可変絞り３２の調整量の決定は、プレスキャンによる３色の画像読取が終了してから行ってもよい。
【００５６】
読取条件や画像処理条件が決定され、また、焦点調整等が終了すると、制御部７４から本スキャン開始の指示が出される。
本スキャンが開始されると、先に条件設定部７８で決定されたＧ画像読取における絞り調整量に応じて可変絞り３２が調整され、同時にＧフィルタ３４Ｇが光路Ｌに挿入されて、可変絞り３２によって光量調整され、Ｇフィルタ３４Ｇによって調光された光がストリップスＡを透過して、投影光がレンズユニット６４によってイメージセンサ２６に結像され、原稿画像のＧ画像が読み取られ、制御装置１４に送られる。
Ｇ画像の読み取りが終了すると、先に条件設定部７８で決定されたＲ画像読取における絞り調整量に応じて可変絞り３２が調整され、同時にＲフィルタ３４Ｒが光路Ｌに挿入されて、同様にしてＲ画像が読み取られて制御装置１４に送られ、さらに同様にしてＢ画像が読み取られ、制御装置１４に送られる。
制御装置１４の画像処理手段７２は、イメージリーダ２６からの出力信号に、条件設定部７８で決定された画像処理条件に応じてＡ／Ｄ変換等の所定の処理を施して出力のための画像情報として記録装置Ｐに出力する。
【００５７】
画像入力装置１０は以上のような作用を有するが、光源３０の取付、交換もしくはメンテナンス等によって光源３０の位置の移動、レンズユニット６４やイメージセンサ２６等の調整に伴う光源３０の相対的位置の変動等が生じた場合には、光源３０のシェーディングを補正するために、本発明の光源位置調整方法が実施される。
【００５８】
本発明の光源位置調整方法においては、予め、工場出荷前に、もしくはイメージセンサ２６自体、およびその周辺回路が故障等により交換、もしくは修正されて、イメージセンサ２６の受光位置による感度のバランス状態が変化したと考えられる場合には、交換もしくは修理後、予め、図７、図８（ａ）および（ｂ）に示す専用の測定治具を用いてフィルム原稿面（正確には、フィルム原稿面に相当する面）における光源３０の光量バランスを調整した後、光量バランスが調整された光源３０のバランス状態をイメージセンサ２６で実測し、制御装置１２のメモリ７９に光源初期位置として、実測された光源３０のバランス状態を記憶、すなわち登録しておく必要がある。
【００５９】
ところで、本発明においては、フィルム原稿面の光源光量バランスは、複数の測定点、すなわちフィルム原稿面の中心に対して対称な位置にある周辺部の点、例えば、図９にＰ1 ，Ｐ2 ，Ｐ3 およびＰ4 で示される４隅近傍の所定の位置の少なくとも３点において測定される。なお、図９は、標準倍率にレンズユニット６４を設定した時に１３５フィルムの原稿面の投影像が一致するイメージセンサ２６の受光領域、すなわち有効画素領域を示し、各測定点Ｐ1 ，Ｐ2 ，Ｐ3 およびＰ4 は、測定に際し、各点で加算平均される画素エリア（３２×８画素＝２５６画素）を示す。ところで、図９に示す測定点Ｐ1 ，Ｐ2 ，Ｐ3 ，Ｐ4 は、図中上下方向には両端から内側に向かって３２画素目から４０画素目までの８画素分で、図中左右方向には両端から内側に向かって８８画素目から１２０画素目までの３２画素分である２５６画素の領域である。なお、測定点の数および配置ならびに各点の画素エリアの大きさ（画素数）は特に制限的ではなく、中心に対して対称で、周辺部に位置する所定画素エリアであればよいし、また少なくとも相異なる２方向の光量バランスをとる（調整する）ことができればよく、例えば図示例のように対角線上にとってもよいし、十字形にとってもよい。
【００６０】
本発明に用いられる専用測定治具１００について説明する。図７に示すように測定治具１００は、入力装置１０のキャリアベース２２に位置決めして載置される支持台１０２と、支持台１０２に上記測定点に対応して位置決めされ、１個の測定点の光量（光の強さ）を測定するパワーメータ本体１０４と、測定結果を表示する表示計１０６とを有する。支持台１０２は、図７および図８（ａ）に示すように、下側に光学フレーム１８のキャリアベース２２の案内レール４０および４２に各々外側から係合して位置決めされる脚部１０８，１１０と、上側にはパワーメータ本体１０４を位置決めするための位置決めピン１１２，１１４とを、キャリアベース２２の中央に穿孔されている、投影光が透過される開口を有し、中央にフィルム原稿のフィルムサイズ（画像サイズ）に対応する、例えば、フィルムサイズに等しいか少し大きい貫通する開口１１６が穿孔されている。なお、図８（ａ）には、開口１１６中に、測定点Ｐ1 ，Ｐ2 ，Ｐ3 およびＰ4 に相当する点が図示されている。
【００６１】
パワーメータ本体１０４は、図７および図８（ｂ）に示すように位置決め板１１８と、位置決め板１１８に固定されたパワーメータ１２０とを有する。位置決め板１１８は、図８（ｂ）に示されるように、中央にパワーメータ１２０の受光部に光を導く開口１２２と、この開口１２２の中心が、図８（ａ）に示す対応測定点Ｐ1 ，Ｐ2 ，Ｐ3 およびＰ4 に位置決めされるように、支持台１０２の位置決めピン１１２および１１４に挿入される各々４つの位置決め孔１２４（Ｐ1 ，Ｐ2 ，Ｐ3 ，Ｐ4 ）および１２６（Ｐ1 ，Ｐ2 ，Ｐ3 ，Ｐ4 ）が形成されている。
【００６２】
ここで、図８（ａ）は支持台１０２の上面図であり、図８（ｂ）は、パワーメータ本体１０４の底面図であり、その位置決め板１１８の底面を示すことから、例えば位置決めピン１１２と１１４にそれぞれ位置決め孔１２４のＰ1 および１２６のＰ1 を対応させて嵌入することにより、開口１２２を測定点Ｐ1 に位置決めし、従ってパワーメータ１２０の受光部を測定点Ｐ1 に位置決めすることができる。同様にして、測定点Ｐ2 ，Ｐ3 ，Ｐ4 を測定する際には、対応する位置決め孔１２４，１２６をそれぞれ位置決めピン１１２，１１４に嵌入させることにより、各測定位置にパワーメータ１２０の受光部を位置決めできる。
【００６３】
パワーメータ１２０は、その受光部に照射される光源３０の光強度（光量）を計測するものであり、その受光部の位置、すなわち、キャリアベース２２に測定治具１００を載置した時、位置決め板１１８の上面とパワーメータ１２０との接合面の位置が、フィルムキャリア２８をキャリアベース２２に設置した時のフィルム原稿面の位置となるように構成される。なお、本発明ではパワーメータに限定されず、光源光量や光強度や照度が計測できれば、どのようなものでもよく、例えば照度計などを用いてもよい。また、表示計１０６は、パワーメータ１２０で測定された光強度や照度などを表示するもので、針などのインジケータによってアナログ表示するものでも、数値をデジタル表示するものであってもよい。なお、パワーメータ１２０と表示計１０６とはコードによって接続される。
本発明に用いられる測定治具１００は、基本的に以上のように構成されるが、本発明はこれに限定されるわけではなく、専用測定治具とするのがよいが、専用治具とはせず、汎用治具を用いてもよいし、照度計を用いて手動で目視計測してもよい。
【００６４】
次に、本発明の専用測定治具１００を用いて行う光源３０の初期位置登録について説明する。はじめに、光学フレーム１８のキャリアベース２２にキャリアが装填されていれば、キャリアを取り外して、キャリアベース２２上に図７に示すように、専用測定治具１００を設置する。なお、ここでは、パワーメータ本体１０４は、測定点Ｐ1 を測定するように、その位置決め板１１８の対応する位置決め孔１２４（Ｐ1 ），１２６（Ｐ1 ）が支持台１０２の位置決めピン１１２，１１４に嵌合されているものとする。ここで、電源は投入され、光源３０は点灯されており、可変絞り３２は開放、色フィルタ板３４も開放、すなわち色フィルタ３４Ｒ，３４Ｇ，３４Ｂのいずれも介在させない状態に設定されている。なお、専用測定治具１００による光源位置調整時の光源３０等の条件は、デフォルト条件（後述する）で行われる。こうして、オペレータによって測定点Ｐ1 の光強度が測定され、表示計１０６に表示された値を読み取る。
【００６５】
このような光強度の測定作業をオペレータは、パワーメータ本体１０４の位置を測定点Ｐ2 ，Ｐ3 ，Ｐ4 と変えながら続けるとともに、光源３０を点灯したまま六角レンチを使って外装カバー１１の前面の開口９８や右側面の開口９９を通して光源移動装置１６の駆動ねじ９７および９４を左右に回転して光源３０の位置を、測定点Ｐ1 ，Ｐ2 ，Ｐ3 ，Ｐ4 の光量（光強度）が可能な限り、均一になるように調整する。なお、調整の許容限度は、特に制限的ではなく、できるだけ小さい方が良いが、図示例では±２％とした。例えば、測定点Ｐ1 ，Ｐ2 ，Ｐ3 ，Ｐ4 の光強度をそれぞれＩ1 ，Ｉ2 ，Ｉ3 ，Ｉ4 とすると、比Ｉ2 ／Ｉ1 ，Ｉ3 ／Ｉ1 の値、より好ましくはこれらに加えＩ4 ／Ｉ1 の値、さらに好ましくはこれらに加えＩ2 ／Ｉ4 ，Ｉ3 ／Ｉ4 の値の変動を±２％以下に抑えるようにすればよい。
【００６６】
なお、本発明においては、測定点Ｐ1 の光強度Ｉ1 に対して、測定点Ｐ2 およびＰ3 の光強度Ｉ2 ，Ｉ3 を共に光強度Ｉ1 に等しい値になるように可能な限り近づけ、Ｐ4 に対する測定を省略してもよい。この理由は、フィルム原稿（ＡまたはＢ）面上の光源３０の光強度分布は、中央部が高く周辺部に行くほど低下しており、等光強度が近似的に同心円状に分布していると考えることができ、その中心が光源３０の中心位置に等しく、また等光強度を示す円は３点によって定義されることから、測定点Ｐ1 ，Ｐ2 ，Ｐ3 での光強度Ｉ1 ，Ｉ2 ，Ｉ3 がほぼ均等であれば、これらを通る等光強度円は１つ特定され、しかも測定点Ｐ4 を通り、その中心が光源３０の中心位置といえるからである。
【００６７】
このようにして、専用測定治具１００を用いてフィルム原稿面、従って、イメージセンサ２６の受光領域（有効画素領域）における光源３０の光量バランス（光強度バランス）がとられると、従ってその周辺部の光量（光強度）が均一になるように光源３０の位置が調整されると、すなわち、その中心に光源３０の中心位置が調整されると、電源を落として光源を消し、専用測定治具１００をキャリアベース２２から取り外す。
【００６８】
この後、制御装置１２において、光源初期位置登録モードに入る。そして、好ましくは、１３５フィルム用フィルムキャリア２８をキャリアベース２２に取り付ける。次いで、光源３０などの光源部２０および結像部２４を以下に示すデフォルト条件に設定し、あるいは設定されていることを確認し、電源を投入して、光源３０を点灯する。
色フィルタ板３４        Ｇフィルタ３４Ｇ
可変絞り３２            ２０５
光源ランプ３０          ２１Ｖ
電子シャッタ            ２９１
レンズユニット６４      ０．４３３倍
この時、フィルムキャリア２８にはフィルム原稿Ａは装填されず、開放され、可変絞り３２は上記所定値、色フィルタ板３４にＧフィルタ３４Ｇに設定され、また、レンズユニット６４は、上記所定焦点位置に配置され、光源３０から射出され、拡散ボックスで拡散され、フィルムキャリア２８の開口を通過した光、すなわち光源の投影像（以下、光源像という）をイメージセンサ２６の全有効エリアに結像させる。なお、レンズユニット６４の上記倍率設定条件は、リバーサルフィルムのプレスキャン条件と同一であり、フィルム原稿の画像をイメージセンサ２６の全有効エリアにちょうど内接させることができる条件である。
【００６９】
この後、前述したフィルム原稿Ａの画像読取と同様に、イメージセンサ２６によって読み取られた光源像の画像データは制御装置１２の画像処理手段７２に送られ、所要の画像処理が施された後、モニタ用ディスプレイ７５に表示される。ここでディスプレイに表示される画像は、光源像のバランス状態を所定濃度（光量）間隔で等高線で表示してもよいが、この場合にはイメージセンサ２６の全エリアからの画像データを画像処理をする必要があるため、画像処理して表示するまでの時間が問題となる。このため本発明においては、イメージセンサ２６の全有効エリアから複数の測定点のみを抽出し、これらの測定点の画像データを用いてディスプレイにモニタ表示するようにするのが好ましい。本発明においては、複数の測定点の画像データをメモリ７９に記憶して、光源初期位置を登録する。
【００７０】
図示例においては、光源像が投影されたイメージセンサ２６の出力のうち、図９に示される測定点Ｐ1 ，Ｐ2 ，Ｐ3 の各エリア２５６画素（３２×８画素）のセンサ出力の加算平均値Ｉ10，Ｉ20，Ｉ30を、例えば累積加算器等を用いて求める。次いで、以下の式（１）の計算を行う。
Ｘ0 ＝Ｉ20／Ｉ10
Ｙ0 ＝Ｉ30／Ｉ10    ………（１）
このようにして得られた出力値Ｉ10，Ｉ20，Ｉ30およびこれらの比Ｘ0 ，Ｙ0 をメモリ７９に記憶する。これらは、光源３０の中心がフィルム原稿面およびイメージセンサ３０の受光面の中心と一致しており、光源３０の光量分布がフィルム原稿面の周辺部で均一な状態で得られた値であるので、イメージセンサ２６の受光位置による感度ムラ（シェーディング）を考慮したものとなる。
【００７１】
この後、フィルム原稿面における光源３０の光量分布は、理想的には中心を対称軸とする完全な山形となっているので、光源３０には中央が高く、周辺部が低くなる光量分布すなわちシェーディングが存在するし、イメージセンサ２６の位置による感度ムラ、すなわちシェーディングが存在するので、自動的にシェーディング補正を実行して、イメージセンサ２６の全有効画素エリアからの出力値を均一または略均一にする。
こうして、光源初期位置登録モードが終了し、この後、通常の画像読取モードに戻り、前述した通常の画像読取作業を行うことができる。
【００７２】
ところで、前述のような光源３０の取付、交換もしくはメンテナンス等によって光源３０の位置の移動、レンズユニット６４やイメージセンサ２６等の物理的な調整に伴う光源３０の相対的位置の変動等が生じた場合には、本発明の光源位置調整によるシェーディング補正方法が実施されるが、まず、光源３０の交換時を代表例として説明すると、はじめに、制御装置１２において、光源位置調整モードに入る。次に画像入力装置１０の外装カバー１１を取り外し、もしくは開いて、古い光源３０を取り外し、新しい光源３０を光源移動装置１６のソケット８８に装着する。この時光源装置１４の電源（図示せず）は遮断されている。この後、外装カバー１１を閉じ、好ましくは、もし、キャリアベース２２に装着されているキャリアが１３５フィルム用のフィルムキャリア２８でなかった場合には、フィルムキャリア２８に変換した後、電源を投入し、光源３０を点灯する。この時、光源初期位置登録時と同様に、フィルムキャリア２８にはフィルム原稿Ａは装填されず、開放され、光源部２０および結像部２４は上述したデフォルト条件に設定される。また、光源３０から射出され拡散ボックスで拡散され、フィルムキャリア２８の開口を通過した光、すなわち光源像をイメージセンサ２６の全エリアもしくは所要のエリアに結像させる。
【００７３】
次いで、光源初期登録時と同様に、図９に示される測定点Ｐ1 ，Ｐ2 ，Ｐ3 の各エリア２５６画素のセンサ出力（ＣＣＤ出力）の加算平均値Ｉ11，Ｉ21，Ｉ31を求め、下記式（２）の計算を行う。
Ｘ1 ＝Ｉ21／Ｉ11
Ｙ1 ＝Ｉ31／Ｉ11    ………（２）
続いて、下記式（３）の計算を行う。
Ｘ＝Ｘ1 ／Ｘ0 
Ｙ＝Ｙ1 ／Ｙ0     ………（３）
【００７４】
こうして得られた結果Ｘ，Ｙをディスプレイ７５に表示する。ディスプレイ７５の表示画面１３０の一例を図１０に示す。ここで、図中右側にあるＸ（水平）方向の帯状のインジケータ１３２は、光源初期位置登録時に求められ、登録された比Ｘ0 からのずれ量を色で表示するものであり、Ｇは緑色で表示されることを表わし、緑色の範囲はＸ0 からのずれ量が±２％の範囲（図中左側が１．０２（±２％）、右側が０．９８（−２％）を示す）であり、この範囲に調整されていれば、プリント品質が保証される安全な範囲であることを示す。インジケータ１３２のＹは、黄色で表示され、絶対値で３％と２％との間（−３％〜−２％および＋２％〜＋３％）の範囲を示し、プリント品質の維持には注意が必要な範囲であることを示す。インジケータ１３２のＲは、赤色で表示され、絶対値で３％以上である（−３％以下および＋３％以上の）範囲を示し、プリント品質が保証されない危険な範囲であることを示す。
【００７５】
そして、インジケータ１３２の下側のカーソル１３４は、上記式（３）で得られたＸの値をインジケータ１３２に対して可能なかぎりリアルタイムで表示するもので光源３０の位置調整により、Ｘ方向に移動可能である。カーソル１３４の下側の２つの矢印は、六角レンチを外装カバー１１の右側面の開口９９に挿入して光源移動装置１６の駆動ねじ軸９４を右方向または左方向に回転させて、光源３０を右または左に移動させた時にカーソル１３４が移動する方向（向き）を示す。
また、図１０の左側のＹ（垂直）方向に帯状のインジケータ１３６は、光源初期位置登録時に求められ、登録された比Ｙ0 からのずれ量を示すもので、インジケータ１３２と同様の機能を有する。また、インジケータ１３６の左側のカーソル１３８は、上記式（３）で求められたＹの値をインジケータ１３６に対して可能な限りリアルタイムで表示するもので、光源３０の位置調整によりＹ方向に移動可能である。さらに、カーソル１３８のさらに左側の２つの矢印は、外装カバー１１の正面の開口９８を通して六角レンチで光源移動装置１６の駆動ねじ９７を右回転または左回転させて、光源３０を手前または奥に移動させた時にカーソル１３８が移動する方向を示す。
【００７６】
こうして、ユーザまたはオペレータは、ディスプレイ７５の表示画面１３０を見ながら、外装カバー１１の外側から右側面の開口９９または正面の開口９８を通して、それぞれ六角レンチを光源移動装置１６の駆動ねじ軸９７または９４の六角孔部に嵌合して、左右に回転し、ディスプレイ７５に表示されたカーソル１３４または１３８をそれぞれＸまたはＹ方向に移動して、それぞれのインジケータ１３２または１３６の緑色の表示範囲内に、好ましくはできるだけその中心にくるように調整する。
本発明においては、ディスプレイ７５内表示画面に、光源光量のバランス状態を図１０に示すように表示することができるので、オペレータは、ディスプレイ７５の表示画面１３０を見ながら、調整箇所（正面か右側面か）、調整方向（向き、右回転か左回転か）、調整終了（インジケータ１３２，１３６の緑色の範囲か）を容易に確認することができる。
【００７７】
こうして、図１０に示されるように、カーソル１３４および１３８がそれぞれインジケータ１３２および１３６の緑色の範囲内に調整されると、六角レンチを開口９８または９９から抜き光源３０の位置調整は終了し、イメージセンサ２６の位置による感度ムラに依存せず、光源３０の中心位置をフィルム原稿面（イメージセンサ２６の受光面）の中心の最適な位置に調整することができる。
この後、光源初期位置登録時と同様に、自動的にシェーディング補正が行なわれ、光源３０およびイメージセンサ２６のシェーディングが補正され、イメージセンサ２６の全有効画素エリアからの均一な出力値が得られる。
こうして作業終了後、光源位置調整モードが終了し、この後、制御装置１４は画像入力装置１０を通常の画像読取モードに復帰させ、前述した通常の画像読取作業を行なわせることができる。
【００７８】
本発明の光源位置調整方法は、基本的には以上のように構成され、オペレータやユーザは、光源位置調整を極めて容易にかつ正確に行うことができる。しかし、この光源位置調整が正確に行われるためには、その前提となる光源初期位置登録が極めて正確に行われている必要がある。そのため、本発明においては、この光源初期位置登録を行うことができるのは、サービスエンジニア（ＳＥ）以上に制限しておき、オペレータやユーザが操作できないようにしておくのが好ましい。こうすることで、操作が未熟で誤った操作をする恐れのあるオペレータやユーザが、不正確な光源初期位置登録を行う危険性を排除することができる。
【００７９】
また、上述した光源初期位置登録モードおよび光源位置調整モードにおける光源部２０および結像部２４のデフォルト条件は、上述した例に限定されず、光源位置調整を好適にできれば、どのような条件であってもよい。また、上述した例では、光量バランスが登録され、かつ調整される測定点は、Ｐ1 ，Ｐ2 ，Ｐ3 の３点であるが、本発明はこれに限定されず、これらに測定点Ｐ4 を加えた４点であってもよいし、さらに多くの測定点を用いてもよいことは明らかである。また、ディスプレイ７５への表示方法も、図示例に限定されず、対話式でリアルタイムで調整結果が表示できるものであれば、どのようなものであってもよい。
なお、光源３０のθ方向の調整は、外装カバー１１を開け、光源３０を点灯しない状態で、目視しながら棒状体８６ｆによって行うが、光源３０を点灯し、外装カバー１１の外側から行うように構成してもよい。
【００８０】
以上、本発明の光源位置調整方法について詳細に説明したが、本発明は上記実施例に限定はされず、本発明の要旨を逸脱しない範囲において、各種の改良および変更を行ってもよいのはもちろんである。
【００８１】
【発明の効果】
以上詳述したように、本発明によれば、光源の交換等により光源位置が変化した場合でも、光源を点灯したまま、外装カバーの外側から光源位置を容易かつ正確かつ安全に調整することができる。また、本発明法によれば、位置による感度ムラのあるイメージセンサを用いている場合であっても、予め専用治具を使った正確な光源初期位置登録を行っておくことによって、光源を点灯し、レンズ装置を通して、イメージセンサで測定した出力データを用い、モニタに表示された測定結果を見ながら、外装カバーの外側から正確かつ確実かつ容易にイメージセンサの感度ムラに依存することなく、光源位置を調整することができ、その結果、光源およびイメージセンサのシェーディング補正を正確に行うことができる。従って、本発明によれば、得られたプリント上に光源位置の調整不足による色の傾斜等が出ることはなく、高品質のプリント画像を得ることができる。
【図面の簡単な説明】
【図１】  本発明に係る光源位置調整方法を実施する画像入力装置の一実施例の概略斜視図である。
【図２】  図１に示される画像入力装置の光源部の構成の一実施例の概略斜視図である。
【図３】  図２に示される光源部に適用される光源装置の光源移動装置の一実施例の斜視図である。
【図４】  図３に示す光源移動装置を用いた光源装置の断面図である。
【図５】  図３に示す光源移動装置に光源を組み込んだ光源装置を用いる光源部の縦断面模式図である。
【図６】  図４に示す光源装置を用いる光源部の横断面模式図である。
【図７】  本発明の光源位置調整方法の光源初期位置登録に用いられる専用の測定治具の一実施例の概略断面図である。
【図８】  （ａ）および（ｂ）は、それぞれ図７に示す測定治具の支持台の上面図およびパワーメータ本体（位置決め板）の底面図である。
【図９】  本発明に係る光源位置調整方法を実施するために測定するフィルム原稿面およびイメージセンサにおける測定点の一例を示す図である。
【図１０】  図９に示すイメージセンサの測定点で測定された測定結果が表示されるモニタの表示画面の一例を示す説明図である。
【符号の説明】
１０  画像入力装置
１１  外装カバー
１２  制御装置
１４  光源装置
１６  光源移動装置
１７  脚部
１８  光学フレーム
２０  光源部
２２  キャリアベース
２４  結像部
２６  イメージセンサ
２８  フィルムキャリア
３０  光源
３１  リフレクタ
３２  可変絞り
３４  色フィルタ板
３６  拡散ボックス
３８  冷却ファン
６４  レンズユニット
６６  焦点調整モータ
６８  ズームレンズ部
７０  焦点調整レンズ部
７２  画像処理手段
７３  焦点調整手段
７４  制御部
７５  ディスプレイ
７６  キーボード
７７  マウス
７８  条件設定部
７９  メモリ
８０  第１枠体
８０ｆ，８０ｇ，８２ｆ，８６ｃ，９２ａ，９８，９９  開口
８０ｉ，９０ｂ，９２ｂ  光源カバー
８２  第２枠体
８２ｈ，８４ｅ  丸孔
８３，８５  ボールプランジャ
８４  第３枠体
８６  第４枠体
８６ｆ  棒状体
８８  ソケット
９０  第１側板
９２  第２側板
９４，９７  駆動ねじ軸（駆動ねじ）
１００  測定治具
１０２  支持台
１０４  パワーメータ本体
１０６  表示計
１０８，１１０  脚
１１２，１１４  位置決めピン
１１６，１２２  開口
１１８  位置決め板
１２０  パワーメータ
１２４，１２６  位置決め孔
【図１】
0003645389.tif 000002
【図２】
0003645389.tif 000003
【図３】
0003645389.tif 000004
【図４】
0003645389.tif 000005
【図５】
0003645389.tif 000006
【図６】
0003645389.tif 000007
【図７】
0003645389.tif 000008
【図８】
0003645389.tif 000009
【図９】
0003645389.tif 000010
【図１０】
0003645389.tif 000011